(57)【要約】      （修正有）【課題】猫等の小型飼育動物の分娩時期を迅速に把握することができると共に、製造コストが低い分娩時期検出具を提供する。【解決手段】イオン化傾向の異なる一対の金属板からなり、重ね合わせて載置される一対の電極板１１，１２と、上記電極板の間に配設され、乾燥状態では絶縁性を有すると共に、水分を透過する絶縁布体１３とを備え、上記電極板のうち、載置時に上側となる一方の電極板には、複数の孔部１４が形成され、上記電極板上に横たわる妊娠時の動物から体液が流出し、上記絶縁布体が濡れることにより、上記電極板間に発生する電流によって、破水を検出しうる構成とする。【選択図】図１
0003158182.tif 000002
【実用新案登録請求の範囲】
【請求項１】
動物の出産時における破水を検出しうる分娩時期検出具であって、
イオン化傾向の異なる一対の金属板からなり、重ね合わせて載置される一対の電極板と、
上記電極板の間に配設され、乾燥状態では絶縁性を有すると共に、水分を透過する絶縁布体とを備え、
上記電極板のうち、載置時に上側となる一方の電極板には、複数の孔部が形成され、
上記電極板上に横たわる妊娠時の動物から体液が流出し、上記絶縁布体が濡れることにより、上記電極板間に発生する電流によって、破水を検出しうることを特徴とする分娩時期検出具。
【請求項２】
上記電極板は、銅板及びアルミニウム板とから形成されていることを特徴とする請求項１記載の分娩時期検出具。
【請求項３】
上記絶縁布体はガーゼ体から形成されていることを特徴とする請求項１記載の分娩時期検出具。
【請求項４】
上記孔部は、相互に所定間隔寸法離間して、上記一方の電極板の全域に配設されていることを特徴とする請求項１記載の分娩時期検出具。
【請求項５】
請求項１〜４いずれか１項に記載の分娩時期検出具と、
上記分娩時期検出具の電極板に接続し、上記電極板間を流れる電流値を増幅しうるアンプ装置と、
上記アンプ装置によって増幅された電流値を、所定の電気信号に変換する変換部と、
上記変換部で変換された電気信号を、広域ネットワークを介して携帯端末に送信する送信部と携帯端末で受信した事を確認できる受信部とから形成されることを特徴とする分娩時期検出情報通知システム。
【考案の詳細な説明】
【技術分野】
【０００１】
本考案は、動物の破水を検出しうる分娩時期検出具、及び上記分娩時期検出を用いた分娩時期検出情報通知システムであって、特に特定の出産場所で出産を行う小動物の分娩時期検出具、及び分娩時期検出情報通知システムに関する。
【背景技術】
【０００２】
飼育動物の出産において、破水して出産が開始した場合には、分娩状況等によっては子供が危険な状態に陥る虞があることから、特に迅速な処置を行う必要がある。
従って、分娩時期が近づく数日の間は、飼育主は常に飼育動物の状態を注意深く監視し続ける必要があり、飼育主にとっては身体的、精神的にも大きな負担となる。
【０００３】
上記の課題を解決するため、図４に示すように、異種の金属より形成された電極３１、３２を絶縁体３３を介して配置したセンサ部３４と、上記センサ部３４の電極３１、３２間に生じる電位差を増幅する増幅器３５と、増幅器３５からの出力信号に基づいて警報を発する警報発生部３６とからなる分娩報知器３０が提案されている（特許文献１）。
図４に示すように、上記特許文献１に掛かる分娩報知器３０のセンサ部３４は、小型の板状片からなる台座部３７と、上記台座部３７の一方面部に固定された電極３１と、上記電極３１の上面部に貼設され、合成樹脂製のシート部材からなる絶縁体３３と、上記絶縁体３３の上面に配設され、上記絶縁体３３よりも小さな寸法に形成された電極３２とから形成されている。
また、上記電極３１、３２は、接続線３８を介し、警報発生部３６に接続されている。
図５は、記特許文献１に掛かる分娩報知器３０を馬３９に装着した状態を示す側面図である。
図５に示すように、上記センサ部３４の電極３１、３２を馬の腹側に密着させて配置すると共に、警報発生部３６を背側に配置し、ベルト４０で上記センサ部３４及び警報発生部３６を固定する。
馬３９はその性質上、分娩直前に大量の汗をかくことから、汗が上記センサ部３４の電極３１、３２に付着することによって、汗が媒体となって上記電極３１、３２が導通し、上記電極３１と３２の間には電位差が生じる。
上記電位差は、上記増幅器３５によって増幅され、接続線３８を介して上記警報発生部３６に伝達され、上記警報発生部３６は所定の警報音を発生させて、飼育者に分娩が近いことを通知する。
【０００４】
上記特許文献１に掛かる分娩報知器３０においては、飼育者が馬の近くについていなくても、上記警報発生部３６の警報音を察知することによって、分娩時期を速やかに認知することが可能であり、飼育者の負担を軽減することできる。
しかしながら、上記特許文献１に掛かる分娩報知器３０にあっては、センサ部３４と警報発生部３６とを直接馬３９の身体に装着することから、馬若しくは牛のように通常つながれていて移動することのない飼育動物には適用できるが、猫等の小型の放し飼いの動物に対しては、装着することによる負担が大きく、また、装着した場合であっても、動いた際に装置が外れる若しくは破損する虞があり、確実な通知が困難となる可能性があるという不具合を有していた。
また、警報発生部３６についても、本考案の専用品であることから、構造が複雑であり、製造コストが大きいという不具合をも有していた。
更に、馬のように体毛が短く、分娩前に汗をかきやすい動物には適するが、猫等の、汗をかき難く、体毛が長い動物には適していないという別途の不具合を有していた。
【特許文献１】実開平５８−７３２２２号公報
【考案の開示】
【考案が解決しようとする課題】
【０００５】
本考案の解決する課題は、上記不具合を解決し、猫等の小型飼育動物の分娩時期を迅速に把握することができると共に、製造コストが低い分娩時期検出具を提供することにある。
【課題を解決するための手段】
【０００６】
上記課題を解決するために、請求項１の記載の考案に係る分娩時期検出具はイオン化傾向の異なる一対の金属板からなり、重ね合わせて載置される一対の電極板と、上記電極板の間に配設され、乾燥状態では絶縁性を有すると共に、水分を透過する絶縁布体とを備え、上記電極板のうち、載置時に上側となる一方の電極板には、複数の孔部が形成され、上記電極板上に横たわる妊娠時の動物から体液が流出し、上記絶縁布体が濡れることにより、上記電極板間に発生する電流によって、破水を検出しうることを特徴とする。
従って、破水の羊水が上記絶縁布体に浸透することによって、上記電極板は導通し、電極板の間には電位差が生じ電流が流れる。
なお、本考案を適用するのに適した飼育動物は、猫等、習性上排泄場所と分娩場所が明確に異なるという性質を有する動物である。
例えば猫の場合、分娩場所において排泄することが無いため、上記絶縁布材が排泄物によって濡れて、電極板が導通状態となることはない。
【０００７】
また、請求項２の考案に係る分娩時期検出具は、上記電極板は、銅板及びアルミニウム板とから形成されていることを特徴とする。
従って、イオン化傾向が高いアルミニウム板が陰極、銅板が陽極として作用する。
【０００８】
また、請求項３の考案に係る分娩時期検出具は、上記絶縁布体はガーゼ体から形成されていることを特徴とする。
従って、破水時にはガーゼ体に羊水が浸透して、上記電極板を導通状態にする。
【０００９】
また、請求項４の考案に係る分娩時期検出具は、上記孔部は、相互に所定間隔寸法離間して、上記一方の電極板の全域に配設されていることを特徴とする。
従って、上記電極板上の任意の位置に飼育動物が横たわっていても、破水時には、羊水が上記孔部を介して上記絶縁布体に浸透し、上記電極板を導通状態とする。
【００１０】
また、請求項５の考案に係る分娩時期検出情報通知システムは、請求項１〜４いずれか１項に記載の分娩時期検出具と、上記分娩時期検出具の電極板に接続し、上記電極板間を流れる電流値を増幅しうるアンプ装置と、上記アンプ装置によって増幅された電流値を、所定の電気信号に変換する変換部と、上記変換部で変換された電気信号を、広域ネットワークを介して携帯端末に送信する送信部と、携帯端末で受信した事を確認できる受信部とから形成されることを特徴とする。
従って、飼育主が外出等で不在であっても、上記分娩時期検出具が破水を検出した旨を、携帯端末を通じて認識することができる。
【考案の効果】
【００１１】
請求項１及び３の考案にあっては、イオン化傾向の異なる一対の金属板からなり、重ね合わせて載置される一対の電極板と、上記電極板の間に配設され、乾燥状態では絶縁性を有すると共に、水分を透過する絶縁布体とを備え、上記電極板のうち、載置時に上側となる一方の電極板には、複数の孔部が形成され、上記電極板上に横たわる妊娠時の動物から体液が流出し、上記絶縁布体が濡れることにより、上記電極板間に発生する電流によって、破水を検出しうることから、猫等の小型飼育動物の分娩時期を迅速に把握することができる分娩時期検出具を提供することができる。
また、構造が極めて単純であるため、製作コストが低く抑えることが可能である。
特に請求項３の考案にあっては、上記絶縁布体がガーゼ体であるため、網目が大きくより水分を浸透し易いため、破水の量が少量であっても迅速に検出することが可能となる。
【００１２】
また、請求項２の考案にあっては、上記電極板は、銅板及びアルミニウム板とから形成されている。
陰極に用いるアルミニウムは、イオン化傾向が高い他の金属、例えばナトリウム、マグネシウム等と比較し、入手及び加工が容易であり、且つ急激な反応による発熱、発火等の心配もない。
また、陽極に用いる銅は、イオン化傾向の低い他の金属、金、銀、白金と比較して、製造コストが非常に低く抑えることができ、入手も容易である。
従って、製造コストが低く、且つ安全性の高い分娩時期検出具を提供することができる。
【００１３】
また、請求項４の考案にあっては、上記孔部は、相互に所定間隔寸法離間して、上記一方の電極板の全域に配設されていることから、上記電極板のどの部位に横たわっていた場合であっても、確実に破水を検出することが可能であるため、より信頼性が高い分娩時期検出具を提供することができる。
【００１４】
また、請求項５の考案にあっては、請求項１〜４いずれか１項に記載の分娩時期検出具と、上記分娩時期検出具の電極板に接続し、上記電極板間を流れる電流値を増幅しうるアンプ装置と、上記アンプ装置によって増幅された電流値を、所定の電気信号に変換する変換部と、上記変換部で変換された電気信号を、広域ネットワークを介して携帯端末に送信する送信部と、携帯端末で受信した事を確認できる受信部とから形成されることから、飼育者が外出している場合等であっても、迅速に破水が発生した旨を通知できるため、更に信頼性が高い分娩時期検出情報通知システムを提供することができる。
【図面の簡単な説明】
【００１５】
【図１】本考案の一実施の形態を示し、実施例の形態における分娩時期検出具の全体斜視図である。
【図２】本考案の一実施の形態を示し、図１に係る分娩時期検出具のＡ−Ａ線断面図である。
【図３】本考案の一実施の形態を示し、実施例の形態における分娩時期検出情報通知システムのシステム構成を示す概念図である。
【図４】従来の分娩報知器の構成を示す斜視図である。
【図５】従来の分娩報知器を馬に装着した状態を示す側面図である。
【考案を実施するための最良の形態】
【００１６】
以下図面を用いて本実施例の形態について説明する。
図１に示すように、本実施例に係る分娩時期検出具１０は、イオン化傾向の異なる一対の金属板からなり、重ね合わせて載置される一対の電極板１１、１２と、図２に示すように、上記電極板１１、１２の間に配設され、乾燥状態では絶縁性を有すると共に、水分を透過するガーゼ体１３である絶縁布体とを備え、図１に示すように上記電極板１１、１２のうち、載置時に上側となる一方の電極板１１には、複数の孔部１４が形成され、上記電極板１１，１２上に横たわる妊娠時の動物（図示せず）から体液が流出し、上記ガーゼ体１３が濡れることにより、上記電極板１１、１２間に発生する電流によって、破水を検出しうるように形成されている。
また、上記電極板１１、１２は、銅板及びアルミニウム板とから形成されている。
また、上記孔部１４は、相互に所定間隔寸法離間して、上記一方の電極板１１の全域に配設されていることを特徴とする。
また、図３に示すように、本実施例に係る分娩時期検出具１０を用いた、分娩検出情報通知システム２１は、上記分娩時期検出具１０の電極板１１、１２に接続し、上記電極板間１１、１２を流れる電流値を増幅しうるアンプ装置１５と、上記アンプ装置１５によって増幅された電流値を、所定の電気信号に変換する変換部１６と、上記変換部１６で変換された電気信号を、広域ネットワーク１７を介して携帯端末１８に送信する送信部１９と、携帯端末１８で受信した事を確認できる受信部２０とから形成されている。
【実施例１】
【００１７】
本実施例の構成について以下添付図面を引用して詳述する。
図１は本実施例に係る分娩時期検出具１０の全体斜視図を示している。
図１に示すように、本実施例に係る分娩時期検出具１０は、約１ｍｍの厚さ寸法を有し、長方形に形成された一対の電極板１１、１２と、上記電極板１１、１２の間に挟まれて配置された、ガーゼ体１３から形成されている。
上記電極板１１はアルミニウム板から形成されると共に、電極板１２は銅板より形成されて、上記孔部１４は、上記電極板１１上において、径寸法約１０ｍｍに形成され、各孔部１４はそれぞれ約５ｍｍずつ離間して相互に規則的に配置されている。
また、上記電極板１１，１２の幅方向両端部には長さ方向に沿って上記電極板１１、１２を固定する固定具２４が取り付けられている。
図２に示すように、ガーゼ体１３は乾燥時においては、その厚さ寸法分だけ上記電極板１１、１２を離間させることによって絶縁している。
なお、本実施例においては、絶縁布体がガーゼ体１３である場合を例に説明しているが、上記絶縁布体に要求される使用としては、乾燥時に確実に絶縁可能であると共に、水分が速やかに浸透する性質を有するものであれば、不織布、さらし布等の織布を使用してもよい。
また、図３は、本実施例の形態における分娩時期検出具１０を、分娩時期検出情報通知システム２１のシステム構成を示す概念図である。
図３に示すように、電流を増幅するアンプ装置１５、電流値を所定の電気信号に変換する変換部１６、上記変換部１６で変換された電気信号を、広域ネットワーク１７を介して携帯端末１８に送信する送信部１９及び携帯端末１８で受信した事を確認できる受信部２０は夫々公知の手段を適宜選択することが可能である。
例えば、携帯端末１８には携帯電話、ＰＨＳ、広域ネットワーク１７にはインターネット回線を使用することができる。
【００１８】
本実施例の作用について添付図面を用いて説明する。
図１に示すように、本実施例に係る分娩時期検出具１０は、孔部１４を有するアルミニウム板の電極板１２を上側にして床面に載置する。
【００１９】
アンプ装置１５、変換部１６の配置及びこれらの装置を接続する配線方法は特に限定する必要は無いが、上記電極板１１上に動物が横たわった状態でも邪魔にならず、また破水によって濡れることのないような防水加工が施されている。
【００２０】
本実施例においては、対象となる動物は猫を想定している。
猫は、極めて清潔好きであり、自己の排泄物で体が汚れることを嫌うため、排泄は必ず限定した場所で行う習性がある。
従って、予め排泄場所を決めさせておくことによって、上記電極板１１上に横たわっている場合であっても、その場所に排泄することが無い。
また、猫は足の裏以外には汗腺を有さないため、分娩時等、足裏をつけずに横たわっている状態では、上記電極板１１に汗が付着する可能性は極めて低い。
従って、排泄物若しくは汗によって、本実施例に係る分娩時期検出具１０が誤検出する可能性は非常に低い。
【００２１】
図３に示すように、分娩が近くなって破水した場合は、上記電極板１１の孔部１４を介して、羊水がガーゼ体１３に浸透し、上記電極板１１と、電極板１２とが上記羊水を介して導通状態となり、アルミニウム板の電極板１１が陰極、銅板の電極板１２が陽極となって両電極板１１、１２間には電位差が生じ、電流が流れる。
【００２２】
上記電流は、接続線２２を介してアンプ装置１５に入力され、電流値が増幅され、更に変換部１６によって所定の電気信号に変換される。
上記電気信号は、送信部１９によって接続線２３を介してインターネット回線である広域ネットワーク１７に送信されると共に、携帯電話である携帯端末１８を鳴動させ、飼育者に分娩時期情報が通知される。
飼育者は、携帯電話である携帯電話端末１８によって、娩時期検出具１０が破水を検出したことを認識する。
更に飼育者は、分娩時期情報を受信した事を、携帯端末１８の釦信号で応答し、応答信号は広域ネットワーク１７を介して、上記受信部２０で受信され、一連の通報シーケンスが終了する。
【００２３】
従って、図４に示す、特許文献１に係る分娩報知器３０と異なり、飼育者が外出等で家を離れている場合であっても、速やかに分娩時期情報を認識することができるため、飼育者の負担が非常に軽くなる。
また、図１に示す分娩時期検出具１０の構造が簡単であり、大量生産も容易であると共に、図３に示す分娩時期検出情報通知システムについても、アンプ装置１５、変換部１６等は既に流通している市販品をそのまま適用できるため、開発コストも低いという別途の利点をも有している。
更に、一度使用した後も、固定具２４を外して、洗浄し、ガーゼ体１３を交換することによって繰り返し使用できるため、非常に経済的である。
【００２４】
なお、分娩時期検出具の電極板の大きさ、上記電極板に設ける孔部の大きさ、及び離間距離は、対象となる動物の大きさ等に合わせて適宜調整することが可能である。
【産業上の利用可能性】
【００２５】
動物の破水を検出しうる分娩時期検出具、及び上記分娩時期検出を用いた分娩時期検出情報通知システムであって、特に特定の出産場所で出産を行う小動物の分娩時期検出具、及び分娩時期検出情報通知システムに広く適用が可能である。
【符号の説明】
【００２６】
１０  分娩時期検出具
１１  電極板
１２  電極板
１３  ガーゼ体（絶縁布体）
１４  孔部
１５  アンプ装置
１６  変換器
１６ａ変換部
１７  広域ネットワーク
１８  携帯端末
１９  送信部
２０  受信部
２１  分娩時期検出情報通知システム
２２  接続線
２３  接続線
２４  固定具
３０  分娩報知器
３１  電極
３２  電極
３３  絶縁体
３４  センサ部
３５  増幅器
３６  警報発生部
３７  センサ部の台座部
３８  接続線
３９  馬
４０  ベルト
【図１】
0003158182.tif 000003
【図２】
0003158182.tif 000004
【図３】
0003158182.tif 000005
【図４】
0003158182.tif 000006
【図５】
0003158182.tif 000007